(57)【要約】【課題】  表示領域に表示されるバーの長さを制御可能な照光装置を提供する。【解決手段】  一実施形態に係る照光装置は、導光板と、前記導光板の第１側面から光を照射可能に設けられ、第１色に発光可能な第１光源と、前記導光板の前記第１側面と対向する第２側面から光を照射可能に設けられ、前記第１色とは異なる第２色に発光可能な第２光源と、を備え、前記導光板は、一方の面に、前記第１側面から前記第２側面に向かって深くなる第１パターンと、前記第１側面から前記第２側面に向かって浅くなる第２パターンと、を有する。【選択図】  図４
2019028170.tif 000002
【特許請求の範囲】
【請求項１】
導光板と、
前記導光板の第１側面から光を照射可能に設けられ、第１色に発光可能な第１光源と、
前記導光板の前記第１側面と対向する第２側面から光を照射可能に設けられ、前記第１色とは異なる第２色に発光可能な第２光源と、
を備え、
前記導光板は、一方の面に、
前記第１側面から前記第２側面に向かって深くなる第１パターンと、
前記第１側面から前記第２側面に向かって浅くなる第２パターンと、
を有する照光装置。
【請求項２】
前記第１パターンは、前記第２側面の近くに配置されているほど深く形成された複数の凹部を含む
請求項１に記載の照光装置。
【請求項３】
前記第２パターンは、前記第２側面の近くに配置されているほど浅く形成された複数の凹部を含む
請求項１又は請求項２に記載の照光装置。
【請求項４】
前記第１パターンは、階段状又はスロープ状の凹部である
請求項１に記載の照光装置。
【請求項５】
前記第２パターンは、階段状又はスロープ状の凹部である
請求項１又は請求項４に記載の照光装置。
【請求項６】
前記導光板の前記第１側面から光を照射可能に設けられ、前記第２色に発光可能な第３光源と、
前記導光板の前記第２側面から光を照射可能に設けられ、前記第１色に発光可能な第４光源と、
を更に備える
請求項１から請求項５までのいずれか１項に記載の照光装置。
【請求項７】
前記導光板の前記第１側面と垂直な第３側面から光を照射可能に設けられた第５光源を更に備える
請求項１から請求項６までのいずれか１項に記載の照光装置。
【請求項８】
前記導光板の表面の少なくとも一部を覆うように設けられた拡散シートを更に備える
請求項１から請求項７までのいずれか１項に記載の照光装置。
【請求項９】
前記導光板の背面の少なくとも一部を覆うように設けられた反射板を更に備える
請求項１から請求項８までのいずれか１項に記載の照光装置。
【請求項１０】
前記第１光源及び前記第２光源に供給する電流を制御する制御部を更に備える
請求項１から請求項９までのいずれか１項に記載の照光装置。
【発明の詳細な説明】
【技術分野】
【０００１】
本発明は、照光装置に関する。
【背景技術】
【０００２】
従来、ライトガイドにより構成されたバー状（矩形状）の表示領域を備える照光装置が利用されている。この照光装置は、表示領域の輝度を制御することにより、表示対象の状態を表示することができる。
【先行技術文献】
【特許文献】
【０００３】
【特許文献１】特開２０１３−２５０４９３号公報
【特許文献２】特開２０１５−１６２３４７号公報
【発明の概要】
【発明が解決しようとする課題】
【０００４】
しかしながら、上記従来の照光装置では、表示領域全体の輝度は制御できるものの、表示領域に表示されるバーの長さを制御することはできなかった。
【０００５】
本発明は、上記の課題に鑑みてなされたものであり、表示領域に表示されるバーの長さを制御可能な照光装置を提供することを目的とする。
【課題を解決するための手段】
【０００６】
一実施形態に係る照光装置は、導光板と、前記導光板の第１側面から光を照射可能に設けられ、第１色に発光可能な第１光源と、前記導光板の前記第１側面と対向する第２側面から光を照射可能に設けられ、前記第１色とは異なる第２色に発光可能な第２光源と、を備え、前記導光板は、一方の面に、前記第１側面から前記第２側面に向かって深くなる第１パターンと、前記第１側面から前記第２側面に向かって浅くなる第２パターンと、を有する。
【発明の効果】
【０００７】
本発明の各実施形態によれば、表示領域に表示されるバーの長さを制御可能な照光装置を提供できる。
【図面の簡単な説明】
【０００８】
【図１】照光装置の構成の一例を示す図。
【図２】表示部の一例を示す分解斜視図。
【図３】導光板の一例を示す平面図。
【図４】図３の導光板のＡ−Ａ線断面図。
【図５】図３の導光板のＢ−Ｂ線断面図。
【図６】照光装置の点灯状態と、比較例の点灯状態と、の比較結果を示す表。
【図７】図６の各比較結果における輝度分布及び輝度の均一性（％）を示す表。
【図８】バーの長さと電流値との関係の一例を示す図。
【図９】導光板の一例を示す平面図。
【図１０】導光板の一例を示す平面図。
【図１１】図１０の導光板のＡ−Ａ線断面図。
【図１２】図１０の導光板のＢ−Ｂ線断面図。
【図１３】導光板の一例を示す平面図。
【図１４】導光板の一例を示す平面図。
【発明を実施するための形態】
【０００９】
以下、本発明の各実施形態について、添付の図面を参照しながら説明する。なお、各実施形態に係る明細書及び図面の記載に関して、実質的に同一の機能構成を有する構成要素については、同一の符号を付することにより重畳した説明を省略する。
【００１０】
＜第１実施形態＞
第１実施形態に係る照光装置１００について、図１〜図９を参照して説明する。照光装置１００は、点灯することにより、表示対象の状態を表示する装置である。照光装置１００は、家電などの任意の装置に搭載される。例えば、照光装置は、ガスコンロに搭載され、当該ガスコンロの火力（表示対象）のレベル（状態）を表示する装置として利用される。
【００１１】
図１は、本実施形態に係る照光装置１００の構成の一例を示す図である。図１の照光装置１００は、表示部１と、導体線２と、制御部３と、を備える。
【００１２】
表示部１は、照光装置１００の本体であり、バー状の表示領域１２１を備える。表示領域１２１は、点灯可能な部分であり、点灯により表示されるバー（点灯部分）の長さにより、表示対象の状態を表示する。表示領域１２１について、詳しくは後述する。
【００１３】
導体線２は、表示部１の光源１３，１４（図２参照）と制御部３とを電気的に接続する導体線である。導体線２は、導体ケーブルであってもよいし、プリント配線であってもよい。光源１３，１４については後述する。
【００１４】
制御部３は、表示部１の点灯を制御するマイコンである。制御部３は、表示部１の光源１３，１４に、導体線２を介して電流を供給する。また、制御部３は、表示対象の状態に応じて、光源１３，１４に供給する電流をそれぞれ制御する。制御部３は、光源１３，１４にそれぞれ供給する電流値を、表示対象の状態ごとに予め記憶する。
【００１５】
図２は、表示部１の一例を示す分解斜視図である。図２の表示部１は、反射板１１と、導光板１２と、光源１３（第１光源）と、光源１４（第２光源）と、拡散シート１５と、を備える。
【００１６】
反射板１１は、導光板１２の表示領域１２１で拡散した光を反射させる板状部材である。反射板１１は、例えば、板状の白色ポリエチレンテレフタラート（ＰＥＴ）であるが、これに限られない。反射板１１は、導光板１２の表示領域１２１を覆うように、導光板１２の背面側に設けられる。反射板１１は、例えば、接着剤や両面テープにより、導光板１２の背面に接着される。
【００１７】
導光板１２は、光源１３，１４から照射された光を内部で反射させ、当該光の一部を拡散して表面から放射させる板状部材である。導光板１２は、例えば、板状又はシート状の、熱可塑性ポリウレタン（ＴＰＵ）、ポリカーボネート（ＰＣ）、又はアクリル樹脂（ポリメタクリル酸メチル樹脂（ＰＭＭＡ）など）であるが、これに限られない。導光板１２の形状は、略矩形であり、バー状の表示領域１２１を形成される。導光板１２について、詳しくは後述する。
【００１８】
光源１３は、導光板１２の第１側面から導光板１２の内部に第１色の光を照射可能に設けられたＬＥＤ（Light Emitting Diode）であり、導光板１２の第１側面の近傍に配置される。以下、説明の便宜上、第１側面は、左側面であるものとするが、これに限られない。光源１３は、第１色に発光可能な単色のＬＥＤであってもよいし、第１色を含む複数の色に発光可能なマルチカラーＬＥＤであってもよい。光源１３は、導体線２Ａにより制御部３に接続され、導体線２Ａを介して制御部３から電流を供給される。
【００１９】
光源１４は、導光板１２の第２側面から導光板１２の内部に、第１色とは異なる第２色の光を照射可能に設けられたＬＥＤであり、導光板１２の第２側面の近傍に配置される。第２側面は、第１側面と対向する側面である。第１側面が左側面である場合、第２側面は右側面となる。光源１４は、第２色に発光可能な単色のＬＥＤであってもよいし、第２色を含む複数の色に発光可能なマルチカラーＬＥＤであってもよい。光源１４は、導体線２Ｂにより制御部３に接続され、導体線２Ｂを介して制御部３から電流を供給される。
【００２０】
なお、光源１３は、マルチカラーＬＥＤである場合、第２色に発光可能であってもよい。同様に、光源１４は、マルチカラーＬＥＤである場合、第１色に発光可能であってもよい。また、光源１３，１４として、それぞれ複数のＬＥＤが設けられてもよい。
【００２１】
拡散シート１５は、導光板１２の表面から放射された光を拡散させるシート状部材である。拡散シートは、シート状の、乳半アクリル樹脂や、表面に光拡散粒子を含有した光拡散層を有するＰＥＴであるが、これに限られない。拡散シート１５は、導光板１２の表示領域１２１を覆うように、導光板１２の表面側に設けられる。拡散シート１５は、例えば、接着剤や両面テープにより、導光板１２の表面に接着される。
【００２２】
図３は、導光板１２の一例を示す平面図である。導光板１２は、表面にバー状の表示領域１２１を形成される。表示領域１２１は、点灯させることにより、表示対象の状態を示すバーを表示するための領域である。光源１３，１４から導光板１２の内部に照射された光は、表示領域１２１で拡散し、反射板１１で反射し、導光板１２の表面から放射される。これにより、表示領域１２１が点灯する。図１，３の例では、表示領域１２１の形状は、矩形であるが、正方形、線状、楕円形など、任意である。
【００２３】
表示領域１２１は、光源１３，１４から照射された光を拡散させるためのパターン１２２（第１パターン）及びパターン１２３（第２パターン）を、それぞれ複数形成される。図３のパターン１２２，１２３は、表示領域１２１の長さ方向に直線状に配置された複数の凹部１２４により構成される。なお、凹部１２４の代わりに凸部を設けても光を拡散させることができる。
【００２４】
図３の例では、パターン１２２，１２３には、それぞれ等間隔に配置された８個の円形の凹部１２４により構成されるが、パターン１２２，１２３に含まれる凹部１２４の間隔、数、及び形状は、任意に設計可能である。凹部１２４の形状は、円形であってもよいし、楕円形や矩形であってもよい。また、凹部１２４は、導光板１２の表面にレーザを照射することにより形成されてもよいし、金型成形により導光板１２と一体に形成されてもよい。
【００２５】
パターン１２２，１２３は、長さ方向と垂直な方向、すなわち、表示領域１２１の幅方向に配列される。図３の例では、パターン１２２，１２３は、幅方向に２つずつ交互に配列されている。しかしながら、パターン１２２，１２３の数及び順番は、任意に設計可能である。パターン１２２，１２３を交互に配列することにより、光源１３，１４から照射された光を均一に拡散し、表示領域１２１の輝度を均一化できる。
【００２６】
図４は、図３の導光板１２のＡ−Ａ線断面図である。図４に示すように、パターン１２２は、導光板１２の左側面から右側面に向かって深くなる。すなわち、パターン１２２は、右側面に近いほど深く形成された、複数の凹部１２４により構成される。
【００２７】
パターン１２２に光源１３からの光が照射されると、当該光は、各凹部１２４で拡散し、反射板１１で反射し、導光板１２の表面から放射される。各凹部１２４の深さが一定の場合、光源１３に近い側（左側面近傍）では、光は、照射されたばかりであるため、導光板１２の表面からあまり放射されておらず、凹部１２４にぶつかりやすい。一方、光源１３から遠い側（右側面近傍）では、光は、そこに来るまでの間に多くが消費（放射）されているため、凹部１２４にぶつかりにくい。すなわち、凹部１２４で拡散する光量は、右側面に近づくほど少なくなる。この結果、導光板１２の表面から放射される光量は、右側面に近づくほど少なくなり、表示領域１２１の右側面に近づくほど暗くなる。これに対して、図４のパターン１２２では、右側面に近づくほど凹部１２４が深くなるため、光は、光源１３から離れた右側面近傍であっても凹部１２４にぶつかりやすい。この結果、導光板１２の表面から放射される光量の減少が抑制され、表示領域１２１の輝度が均一化される。このように、パターン１２２を左側面から右側面に向かって深くなるように形成することにより、光源１３からの光による表示領域１２１の輝度を均一化することができる。
【００２８】
図５は、図３の導光板１２のＢ−Ｂ線断面図である。図５に示すように、パターン１２３は、左側面から右側面に向かって浅くなる。すなわち、パターン１２３は、右側面に近いほど浅く形成された、複数の凹部１２４により構成される。
【００２９】
パターン１２３に光源１４からの光が照射されると、当該光は、各凹部１２４で拡散し、反射板１１で反射し、導光板１２の表面から放射される。各凹部１２４の深さが一定の場合、光源１４に近い側（右側面近傍）では、光は、照射されたばかりであるため、導光板１２の表面からあまり放射されておらず、凹部１２４にぶつかりやすい。一方、光源１４から遠い側（左側面近傍）では、光は、そこに来るまでの間に多くが消費（放射）されているため、凹部１２４にぶつかりにくい。すなわち、凹部１２４で拡散する光量は、左側面に近づくほど少なくなる。この結果、導光板１２の表面から放射される光量は、左側面に近づくほど少なくなり、表示領域１２１は左側面に近づくほど暗くなる。これに対して、図５のパターン１２３では、左側面に近づくほど凹部１２４が深くなるため、光は、光源１４から離れた左側面近傍であっても凹部１２４にぶつかりやすい。この結果、導光板１２の表面から放射される光量の減少が抑制され、表示領域１２１の輝度が均一化される。このように、パターン１２３を左側面から右側面に向かって浅くなるように形成することにより、光源１４からの光による表示領域１２１の輝度を均一化することができる。
【００３０】
前述のとおり、図４及び図５の例では、表示領域１２１の輝度が均一化されることを説明した。しかし、上記の配置によれば、光源１３の近くにはパターン１２３の最も深さが深い凹部１２４が配置され、光源１４の近くにはパターン１２２の最も深さが深い凹部１２４が配置されることになる。このため、光源１３の近くに配置されたパターン１２３の最も深さが深い凹部１２４は、光源１３の光を拡散することにより、他の凹部１２４よりも輝度が高くなりやすい。また、光源１４の近くに配置されたパターン１２２の最も深さが深い凹部１２４は、光源１４の光を拡散することにより、他の凹部１２４よりも輝度が高くなりやすい。そこで、実際にパターン１２２及びパターン１２３の設計をする際には、表示領域１２１全体の発光状態を確認し、凹部１２４の深さ、凹部１２４同士の距離、光源１３，１４の近くに配置する凹部１２４の数、及び光源１３，１４と凹部１２４との間の距離などを調整して、表示領域１２１全体の輝度のバランスを取るのが好ましい。
【００３１】
なお、図４及び図５の例では、導光板１２の厚さは一様であるが、導光板１２の形状はこれに限られない。例えば、導光板１２は、右側面近傍及び左側面近傍が厚く、右側面及び左側面の中間部分が薄くなるように、背面が凹面形状に形成されていてもよい。
【００３２】
図６は、照光装置１００の点灯状態と、比較例の点灯状態と、の比較結果を示す表である。比較例は、パターン１２２，１２３の深さが一定の照光装置である。
【００３３】
比較結果１は、第１色及び第２色が赤であり、照光装置１００及び比較例が拡散シートを備えない場合の比較結果である。比較結果２は、第１色及び第２色が赤であり、照光装置１００及び比較例が拡散シートを備える場合の比較結果である。比較結果１，２より、比較例では、表示領域の中央部が暗くなるのに対して、照光装置１００では、表示領域１２１が全体的に均一な明るさになることがわかる。また、拡散シート１５を設けることにより、表示領域の明るさがより均一になることがわかる。
【００３４】
比較結果３は、第１色が赤であり、第２色が青であり、照光装置１００及び比較例が拡散シートを備えない場合の比較結果である。比較結果４は、第１色が赤であり、第２色が青であり、照光装置１００及び比較例が拡散シートを備える場合の比較結果である。比較結果３，４より、比較例では、表示領域の中央部が暗くなるのに対して、照光装置１００では、表示領域１２１が全体的に均一な明るさになり、表示領域１２１の中央部には右方向に赤から青へのグラデーションが形成されることがわかる。従来の照光装置では、このようなグラデーション表示はできず、グラデーション表示を実現するためには、液晶表示パネルを利用しなければならなかった。これに対して、本実施形態に係る照光装置１００は、上記の通り、グラデーション表示を行うことができる。また、比較結果２，４より、拡散シート１５を設けることにより、表示領域の明るさがより均一になることがわかる。
【００３５】
図７は、図６の各比較結果における輝度分布及び輝度の均一性（％）を示す表である。比較結果１〜４より、照光装置１００は、比較例より輝度の均一性が高いことがわかる。例えば、比較結果１では、比較例の輝度の均一性は４％であるのに対して、照光装置１００の輝度の均一性は４０％である。このように、表示領域１２１の表面に、左側面から右側面に向かって深くなるパターン１２２と、左側面から右側面に向かって浅くなるパターン１２３と、を設けることにより、照光装置１００の表示領域１２１の輝度を均一化することができる。
【００３６】
ここで、図８は、バーの長さと電流値との関係の一例を示す図である。図８の例では、第１色は赤であり、第２色は白であり、表示対象の状態を示すバーは表示領域１２１における赤部分であり、バーの長さは表示領域１２１の長さに対する相対値である。本実施形態では、図８の例のように、表示領域１２１に表示するバーの長さごとに、光源１３，１４にそれぞれ供給する電流値（ｍＡ）が予め設定されている。
【００３７】
例えば、制御部３は、長さ０のバーを表示する場合、光源１３に０（ｍＡ）の電流を供給し、光源１４に２０（ｍＡ）の電流を供給する。これにより、導光板１２の右側面から導光板１２の内部に白色の光が照射され、図８に示すように、表示領域１２１の全体が白く点灯する。すなわち、表示領域１２１に、長さ０のバーが表示される。
【００３８】
また、制御部３は、長さ１／２のバーを表示する場合、光源１３に１０（ｍＡ）の電流を供給し、光源１４に１０（ｍＡ）の電流を供給する。これにより、導光板１２の左側面から導光板１２の内部に赤色の光が照射され、導光板１２の右側面から導光板１２の内部に白色の光が照射され、図８に示すように、表示領域１２１の左半分が赤く点灯する。すなわち、表示領域１２１に、長さ１／２のバーが表示される。
【００３９】
また、制御部３は、長さ１のバーを表示する場合、光源１３に２０（ｍＡ）の電流を供給し、光源１４に０（ｍＡ）の電流を供給する。これにより、導光板１２の左側面から導光板１２の内部に赤色の光が照射され、図８に示すように、表示領域１２１の全体が赤く点灯する。すなわち、表示領域１２１に、長さ１のバーが表示される。
【００４０】
このように、本実施形態に係る照光装置１００は、制御部３が光源１３，１４に供給する電流を制御することにより、表示領域１２１に表示されるバーの長さを制御することができる。すなわち、本実施形態によれば、表示領域１２１に表示されるバーの長さを制御可能な照光装置１００を提供できる。従来の照光装置では、直線状に並べられた複数の照光領域を、表示対象の状態に応じて順次点灯させることにより、表示対象の状態が段階的に表示された。これに対して、本実施形態に係る照光装置１００によれば、表示対象の状態に応じてバーの長さを制御することにより、表示対象の状態をより正確に表示することができる。
【００４１】
また、表示領域１２１の表面に、左側面から右側面に向かって深くなるパターン１２２と、左側面から右側面に向かって浅くなるパターン１２３と、を設けることにより、表示領域１２１の輝度を均一化することができる。これにより、表示領域の中央部が暗くなり、バーの長さが不明確になることを抑制することができる。
【００４２】
なお、本実施形態において、表示領域１２１及びパターン１２２，１２３は、導光板１２の背面に形成されてもよい。この場合、光源１３，１４から照射された光は、導光板１２の背面に形成されたパターン１２２，１２３で拡散し、導光板１２の表面から放射される。したがって、照光装置１００は、反射板１１を備えない構成も可能である。
【００４３】
また、パターン１２２，１２３を構成する凹部１２４は、表示領域１２１にランダムに配置されていてもよい。図９は、凹部１２４がランダムに配置された導光板１２の一例を示す平面図である。図９の例では、同一のパターン１２２，１２３を構成する凹部１２４が、同一パターン（ドット、白抜き、塗りつぶし、細斜線、太斜線のいずれか）で表示されている。図９の例では、図３の例とは異なり、パターン１２２，１２３を構成する凹部１２４は、直線状に配置されておらず、等間隔にも配置されておらず、数も異なる。また、表示領域１２１に形成されたパターン１２２，１２３の数も異なる。このように、パターン１２２，１２３を構成する凹部１２４が表示領域１２１にランダムに配置された場合であっても、照光装置１００は、上記と同様に、表示領域１２１に表示されるバーの長さを制御し、表示領域１２１の輝度を均一化することができる。
【００４４】
＜第２実施形態＞
第２実施形態に係る照光装置１００について、図１０〜図１２を参照して説明する。本実施形態では、パターン１２２，１２３の他の例について説明する。
【００４５】
図９は、導光板１２の一例を示す平面図である。図９の照光装置１００は、パターン１２２，１２３として、表示領域１２１の長さ方向に直線状に形成された凹部を備える。照光装置１００の他の構成は、第１実施形態と同様である。
【００４６】
図９のパターン１２２，１２３は、導光板１２の表面にレーザを照射することにより形成されてもよいし、金型成形により導光板１２と一体に形成されてもよいし、導光板１２の表面をプロッタで削ることにより形成されてもよい。
【００４７】
パターン１２２，１２３は、表示領域１２１の幅方向に配列される。図９の例では、パターン１２２，１２３は、幅方向に２つずつ交互に配列されている。しかしながら、パターン１２２，１２３の数及び順番は、任意に設計可能である。パターン１２２，１２３を交互に配列することにより、光源１３，１４から照射された光を均一に拡散し、表示領域１２１の輝度を均一化できる。
【００４８】
図１１は、図１０の導光板１２のＡ−Ａ線断面図である。図１１に示すように、パターン１２２は、導光板１２の左側面から右側面に向かって深くなる。パターン１２２は、図１１の上図に示すように、階段状の凹部であってもよいし、図１１の下図に示すように、スロープ状の凹部であってもよい。このように、パターン１２２を左側面から右側面に向かって深くなるように形成することにより、光源１３からの光による表示領域１２１の輝度を均一化することができる。
【００４９】
図１２は、図１０の導光板１２のＢ−Ｂ線断面図である。図１２に示すように、パターン１２３は、導光板１２の左側面から右側面に向かって浅くなる。パターン１２３は、図１２の上図に示すように、階段状の凹部であってもよいし、図１２の下図に示すように、スロープ状の凹部であってもよい。このように、パターン１２３を左側面から右側面に向かって浅くなるように形成することにより、光源１３からの光による表示領域１２１の輝度を均一化することができる。
【００５０】
＜第３実施形態＞
第３実施形態に係る照光装置１００について、図１３及び図１４を参照して説明する。本実施形態では、光源の他の配置について説明する。
【００５１】
図１３は、本実施形態に係る導光板１２の一例を示す平面図である。図１３の照光装置１００は、光源１６（第３光源）と、光源１７（第４光源）と、を更に備える。照光装置１００の他の構成は、第１実施形態と同様である。
【００５２】
光源１６は、導光板１２の左側面（第１側面）から導光板１２の内部に第２色の光を照射可能に設けられたＬＥＤであり、導光板１２の左側面の近傍に配置される。光源１６は、第２色に発光可能な単色のＬＥＤであってもよいし、第２色を含む複数の色に発光可能なマルチカラーＬＥＤであってもよい。光源１６は、導体線２Ｃにより制御部３に接続され、導体線２Ｃを介して制御部３から電流を供給される。
【００５３】
光源１７は、導光板１２の右側面（第２側面）から導光板１２の内部に、第１色の光を照射可能に設けられたＬＥＤであり、導光板１２の右側面の近傍に配置される。光源１７は、第１色に発光可能な単色のＬＥＤであってもよいし、第１色を含む複数の色に発光可能なマルチカラーＬＥＤであってもよい。光源１７は、導体線２Ｄにより制御部３に接続され、導体線２Ｄを介して制御部３から電流を供給される。
【００５４】
なお、光源１６は、マルチカラーＬＥＤである場合、第１色に発光可能であってもよい。同様に、光源１７は、マルチカラーＬＥＤである場合、第２色に発光可能であってもよい。また、光源１６，１７として、それぞれ複数のＬＥＤが設けられてもよい。
【００５５】
本実施形態において、制御部３は、例えば、長さ０のバーを表示する場合、光源１４，１６に１０（ｍＡ）の電流を供給し、光源１３，１７に０（ｍＡ）の電流を供給する。これにより、導光板１２の左側面及び右側面から導光板１２の内部に白色の光が照射され、表示領域１２１の全体が白く点灯する。すなわち、表示領域１２１に、長さ０のバーが表示される。
【００５６】
また、制御部３は、長さ１のバーを表示する場合、光源１３，１７に１０（ｍＡ）の電流を供給し、光源１４，１７に０（ｍＡ）の電流を供給する。これにより、導光板１２の左側面及び右側面から導光板１２の内部に赤色の光が照射され、表示領域１２１の全体が赤く点灯する。すなわち、表示領域１２１に、長さ１のバーが表示される。
【００５７】
このように、図１３の照光装置１００は、導光板１２の内部に導光板１２の両側から同一色の光を照射可能である。したがって、長さ０や長さ１のバーを、長い表示領域１２１に表示する場合であっても、表示領域１２１の輝度を均一化できる。
【００５８】
なお、図１３の例では、光源１３，１４，１６，１７は、長さ方向の対向する位置に配置された光源の発光する色が、異なるように配置されている。すなわち、光源１３，１４が対向するように配置され、光源１６，１７が対向するように配置されている。このような配置により、長さ０又は長さ１のバーを表示する際に、表示領域１２１の輝度が上下方向に偏ることを抑制できる。しかしながら、本実施形態において、光源１３，１４，１６，１７を、長さ方向の対向する位置に配置された光源の発光する色が、同一となるように配置することも可能である。
【００５９】
図１４は、本実施形態に係る導光板１２の他の例を示す平面図である。図１４の照光装置１００は、光源１８（第５光源）を更に備える。照光装置１００の他の構成は、第１実施形態と同様である。
【００６０】
光源１８は、導光板１２の左側面（第１側面）と垂直な上側面（第３側面）から導光板１２の内部に光を照射可能に設けられたＬＥＤであり、導光板１２の上側面の近傍に配置される。光源１８が発光する色は任意に設計可能である。光源１８は、第１色に発光可能であってもよいし、第２色に発光可能であってもよいし、第１色及び第２色とは異なる色に発光可能であってもよい。また、光源１８は、単色のＬＥＤであってもよいし、マルチカラーＬＥＤであってもよい。光源１８は、導体線２Ｅにより制御部３に接続され、導体線２Ｅを介して制御部３から電流を供給される。
【００６１】
図１４の照光装置１００は、光源１８から導光板１２に光を照射することにより、より複雑なバーの表示制御を行うことができる。例えば、光源１８が第１色又は第２色で発光する場合、光源１８からの照射により、光源１３又は光源１４からの照射を補助し、表示領域１２１の輝度をより均一化できる。また、光源１８が第１色及び第２色以外の色で発光する場合、光源１８からの照射により、表示領域１２１を３色に点灯させることができる。
【００６２】
なお、光源１８として複数のＬＥＤが設けられてもよい。また、光源１８は、上側面と対向する下側面に光を照射可能なように、下側面の近傍に設けられてもよい。また、光源１８は、上側面及び下側面の両方に設けられてもよい。
【００６３】
なお、上記実施形態に挙げた構成等に、その他の要素との組み合わせなど、ここで示した構成に本発明が限定されるものではない。これらの点に関しては、本発明の趣旨を逸脱しない範囲で変更可能であり、その応用形態に応じて適切に定めることができる。
【符号の説明】
【００６４】
１：表示部
２：導体線
３：制御部
１１：反射板
１２：導光板
１３，１４，１６〜１８：光源
１５：拡散シート
１００：照光装置
１２１：表示領域
１２２，１２３：パターン
１２４：凹部
【図１】
2019028170.tif 000003
【図２】
2019028170.tif 000004
【図３】
2019028170.tif 000005
【図４】
2019028170.tif 000006
【図５】
2019028170.tif 000007
【図６】
2019028170.tif 000008
【図７】
2019028170.tif 000009
【図８】
2019028170.tif 000010
【図９】
2019028170.tif 000011
【図１０】
2019028170.tif 000012
【図１１】
2019028170.tif 000013
【図１２】
2019028170.tif 000014
【図１３】
2019028170.tif 000015
【図１４】
2019028170.tif 000016